(57)【特許請求の範囲】
【請求項１】
用紙を用紙積載面上に複数枚重ねて積載する用紙トレイと、該用紙積載面上に用紙を排出し、且つ、排出して積載する用紙の幅方向中心位置を該用紙積載面上で変更可能な用紙排出手段と、該用紙トレイに積載された用紙の用紙搬送方向後端を突き当てて用紙搬送方向後端を揃える後端揃え部材と、該用紙トレイ上に積載された用紙を該後端揃え部材に突き当てるよう搬送する突き当て搬送手段と、該用紙搬送方向後端を揃えられた複数の用紙からなる用紙束に処理をおこなう用紙束処理手段と、を備えた用紙処理装置において、
上記突き当て搬送手段として、該用紙束の上面に当接可能な複数の搬送部材と、該複数の搬送部材を用紙幅方向に移動させる搬送部材移動手段と、該搬送部材移動手段を制御する搬送部材移動制御手段とを有し、
該搬送部材移動制御手段は、上記用紙排出手段により該用紙積載面上に積載される用紙の幅方向中心位置情報を取得し、該複数の搬送部材間の幅方向中点を該取得された用紙の幅方向中心位置に一致させるよう、該搬送部材移動手段による該搬送部材の用紙幅方向移動を制御するものであり、
上記用紙束処理手段が移動手段により用紙幅方向に移動可能であり、上記突き当て搬送手段の複数の搬送部材を支持する支持部材を該用紙束処理手段に連結したことを特徴とする用紙処理装置。
【請求項２】
請求項１の用紙処理装置において、上記支持部材を幅方向端部に移動させた際、上記搬送部材が上記用紙上面から離間するよう上記支持部材をガイドするガイド部を設けたことを特徴とする用紙処理装置。
【請求項３】
画像形成部と、該画像形成部によって画像が形成された用紙に対して所定の処理を施す用紙処理手段とを備えた画像形成装置において、
上記用紙処理装置として、請求項１または２の用紙処理装置を用いたことを特徴とする画像形成装置。
【発明の詳細な説明】
【技術分野】
【０００１】
本発明は、紙やＯＨＰシートなどの用紙を複数枚重ねて綴じ処理等を行う用紙処理装置、及び、この用紙処理装置を備えるプリンタ、複写機、ファクシミリ等の画像形成装置に関するものである。
【背景技術】
【０００２】
従来、画像形成装置として、用紙に画像を形成する画像形成部と、画像が形成された用紙に対して綴じ処理等を行う用紙処理装置とを備えたものが知られている。用紙処理装置では、用紙を用紙トレイであるステイプルトレイの用紙積載面上に積載するよう排出する。この排出ごとに、用紙の上面に当接する搬送部材により、用紙の用紙搬送方向後端（以下、用紙後端という）を後端揃え部材である後端基準フェンスに突き当てる。これによって用紙搬送方向の整合を行う。このような整合動作を用紙排出ごとに繰り返すことにより、用紙搬送方向に整合された複数の用紙からなる用紙束を形成する。この用紙束に、用紙幅方向に移動可能に設けられた綴じ処理手段であるステイプラによって所定位置に針が打ち込まれることで綴じ処理が施される。
【０００３】
通常、ステイプルトレイ上では、用紙積載面の用紙幅方向中心（以下、センターという）を基準とし、この基準に用紙のセンターが合致するように用紙を積載して整合処理をおこなっている。また、用紙を後端基準フェンスに突き当てるよう搬送する搬送部材としての複数のパドルやローラを用紙積載面のセンターを基準として左右対称となるよう設置している。この構成では、複数の搬送部材を用紙上面のセンターに対して左右対称となる箇所に当接させて回転させることで、用紙を後端基準フェンスに突き当てるよう搬送する。このため、後端基準フェンスに突き当てられるときに用紙のセンターに対して左右均等にスキュー補正効果が得られ、良好な整合が行われる。
【０００４】
また、特許文献１には、用紙を搬送する搬送部材として複数のパドルを設け、用紙サイズに応じて複数のパドルを、用紙積載面のセンターを基準に左右対称に用紙幅方向に移動可能な構成の用紙処理装置が記載されている。
【発明の概要】
【発明が解決しようとする課題】
【０００５】
しかしながら、一部の用紙サイズを用いた場合に機械幅の制約などで、用紙積載面のセンター以外の位置を基準とし、この基準に用紙のセンターが合致するように用紙を排出して整合処理をおこなう場合がある。このような場合、上記用紙を後端基準フェンスに突き当てるよう搬送する複数の搬送部材を、用紙積載面のセンターに対して左右対称となる位置に設けた構成では、複数の搬送部材が用紙の幅方向中心に対して左右対称に配置されなくなる。複数の搬送部材が用紙に対し非対称な状態に当接して回転することで、用紙を搬送しようとする力が用紙のセンターに対して左右対称に加わらなくなる。このため、後端基準フェンスに突き当てられるときに用紙のセンターに対して左右均等にスキュー補正効果が発揮され難くなり、整合不良が発生する虞がある。
【０００６】
また、特許文献１の装置は、用紙サイズに応じて複数の搬送部材の位置を用紙幅方向で移動可能としたものであるが、複数の搬送部材を用紙積載面のセンターを基準に左右対称に移動させる構成である。このため、用紙積載面上のセンター以外の位置に、用紙のセンターが合致するように積載して整合処理をおこなう場合には、上述と同様の理由で、用紙のセンターに対して左右均等にスキュー補正効果が発揮され難くなり、整合不良が発生する虞がある。
【０００７】
本発明は以上の問題点に鑑みなされたものであり、その目的は、用紙を積載して整合処理をおこなった用紙束に対して処理を行う用紙処理装置において、用紙の積載位置によらず良好な整合処理をおこなうことのできる用紙処理装置および画像形成装置を提供することである。
【課題を解決するための手段】
【０００８】
上記目的を達成するために、請求項１の発明は、用紙を用紙積載面上に複数枚重ねて積載する用紙トレイと、該用紙積載面上に用紙を排出し、且つ、排出して積載する用紙の幅方向中心位置を該用紙積載面上で変更可能な用紙排出手段と、該用紙トレイに積載された用紙の用紙搬送方向後端を突き当てて用紙搬送方向後端を揃える後端揃え部材と、該用紙トレイ上に積載された用紙を該後端揃え部材に突き当てるよう搬送する突き当て搬送手段と、該用紙搬送方向後端を揃えられた複数の用紙からなる用紙束に処理をおこなう用紙束処理手段と、を備えた用紙処理装置において、
上記突き当て搬送手段として、該用紙束の上面に当接可能な複数の搬送部材と、該複数の搬送部材を用紙幅方向に移動させる搬送部材移動手段と、該搬送部材移動手段を制御する搬送部材移動制御手段とを有し、該搬送部材移動制御手段は、上記用紙排出手段により該用紙積載面上に積載される用紙の幅方向中心位置情報を取得し、該複数の搬送部材間の幅方向中点を該取得された用紙の幅方向中心位置に一致させるよう、該搬送部材移動手段による該搬送部材の用紙幅方向移動を制御するものであり、
上記用紙束処理手段が移動手段により用紙幅方向に移動可能であり、上記突き当て搬送手段の複数の搬送部材を支持する支持部材を該用紙束処理手段に連結したことを特徴とするものである。
【０００９】
本発明においては、搬送部材移動制御手段が、用紙排出手段により用紙積載面上に積載する用紙の幅方向中心位置情報を取得し、取得した用紙積載面上の用紙の幅方向中心位置に、複数の搬送部材間の幅方向中間点が一致するよう搬送部材を用紙幅方向に移動させる。これにより、用紙積載面上での用紙の幅方向中心位置が変更されて積載された場合でも、積載位置に関わらず、複数の搬送部材を用紙の幅方向中心に対して左右対称に配置することができる。このように、本発明の突き当て搬送手段は、複数の搬送部材を用紙幅方向に関して左右対称となる位置で用紙上面に当接させて、用紙を後端揃え部材に突き当てるよう搬送することができる。よって、用紙を搬送しようとする力が用紙のセンターに対して左右対称に加わることになり、突き当て時のスキュー補正効果が左右均等に発揮されて、良好な整合処理が行われる。
【発明の効果】
【００１０】
本発明によれば、用紙を積載して整合処理をおこなった用紙束に対して処理を行う用紙処理装置において、用紙の積載位置によらず良好な整合処理をおこなうことができるという優れた効果がある。
【図面の簡単な説明】
【００１１】
【図１】本実施形態の係る後処理装置の整合処理のフローの一例を示す図。
【図２】本実施形態に係る後処理装置の概略構成図。
【図３】本実施形態に係るステイプルトレイの断面図であり、（ａ）は搬送方向整合処理時、（ｂ）はホームポジション時を示す。
【図４】本実施形態に係る戻しローラとステイプラの構成を示す拡大上面図であり、（ａ）は搬送方向整合処理時、（ｂ）はホームポジション時を示す。
【発明を実施するための形態】
【００１２】
以下、本発明を適用した画像形成装置の一実施形態について説明する。
本実施形態の複写機またはプリンタ等の画像形成装置であり、画像形成部で用紙に画像を形成し、画像形成部から排出された画像が形成された用紙に対して後処理を行う後処理装置１００としての用紙処理装置を備えた構成である。
【００１３】
本実施形態の画像形成装置の画像形成部としては、特に図示しないが、画像処理回路、感光体、光書き込み装置、現像装置、転写装置及び定着装置を備える、公知の電子写真方式の画像形成部である。画像処理回路は、画像形成部が複写機である場合のスキャナ部で読み取った画像データやパーソナルコンピュータ等の外部装置から入力される画像データを印字可能な画像データに変換し、変換した画像データを光書き込み装置に出力する。光書き込み装置は、画像処理回路から出力される画像信号に基づいて感光体に光書き込みを行い感光体の表面に静電潜像を形成する。現像装置は、光書き込みにより感光体の表面に形成された静電潜像をトナー現像する。転写装置は、現像装置によって顕像化された感光体の表面上のトナー像を用紙Ｐに転写する。定着装置は、用紙Ｐ上に転写されたトナー像を用紙Ｐに定着する。
【００１４】
画像形成部でトナー像が定着された用紙Ｐは、後処理装置１００に送り出され、後処理装置１００によって所望の後処理が行われる。本実施形態の画像形成部は前述のように電子写真方式のものであるが、インクジェット方式や熱転写方式など、公知の画像形成部の全てについて画像形成部として後処理装置１００と組み合わせることができる。
【００１５】
図２は、本実施形態に係る後処理装置１００の概略構成図である。この後処理装置１００は、画像形成部（不図示）の側部に取り付けられており、画像形成部から排出された用紙Ｐは後処理装置１００に導かれる。
【００１６】
本実施形態の後処理装置では、用紙Ｐに対して、用紙整合処理と端部綴じ処理を行うことができる。この処理は後処理装置１００内に設けられＣＰＵやメモリーなどを有する図示しない制御部によって、後処理装置１００内の各装置や部材などの動作を制御して行われる。
【００１７】
後処理装置１００は、画像形成部から排出された画像形成済みの用紙Ｐを受け入れる導入経路１と用紙Ｐを中間積載する搬送経路２を有する。導入経路１には、入口ローラ１０、入口センサ１３が配置され、用紙Ｐが後処理装置１００内へ搬入されたことを検知する。入口ローラ１０の下流には、排紙ローラ１２が配置され、これを経て搬送経路２へと用紙Ｐは搬送される。搬送経路２には放出ローラ２６、排紙センサ８が配置される。
【００１８】
ソートモード時は、シフト機構を有する排紙ローラ１２が図示しない駆動手段により、搬送中に用紙幅方向に一定量移動することによって用紙Ｐはシフトし、放出ローラ２６により延長トレイ６を有する排紙トレイ５に排紙され、順次スタックされていく。また排紙トレイ５への排出口部は、放出ローラ２６と従動ローラ２７とで用紙又は用紙束を挟持して排出する対構造となっている。これは、放出ローラ２６に対する従動ローラ２７を備えた排出ガイドの接離動作で、用紙又は用紙束を挟持して排出可能な閉状態と挟持しない開状態とを選択的に取り得るようになっており、用紙Ｐのシフト動作が完了した後、用紙Ｐを挟持して排紙される。
【００１９】
排紙口上方付近には、用紙押さえフィラー４０が設けられている。用紙押さえフィラー４０は、スタックされた時の用紙Ｐの中央付近位置に回動自由に配置され、先端部は用紙Ｐの上面に接している。用紙押さえフィラー４０の根元付近には、用紙押さえフィラー４０の先端部の高さ位置を検知する上面検知センサ（不図示）があり、これらによりスタックされた用紙Ｐの紙面高さを検知している。排紙トレイ５上の堆積枚数の増大によりシートの高さが上昇するに従って、上面検知センサがオンすると、排紙トレイ５を上下動させる駆動手段（不図示）により排紙トレイ５を下降させる。排紙トレイ５が下降し上面検知センサがオフすると下降を停止する。この動作を繰り返し、排紙トレイ５が規定のトレイ満杯高さまで達すると、後処理装置１００の制御部から画像形成部に停止信号を出し、画像形成動作を停止させる。
【００２０】
搬送経路２にはステイプルトレイ２１と、ステイプルトレイ２１上との間で接離動作が可能な叩きローラ１５とが設けられている。ステイプルトレイ２１は、用紙面と直交する方向に進退して積載された複数の用紙Ｐの幅方向の位置揃えを行うジョガーフェンス２２，２３と、用紙先端を突き当てることで積載された複数の用紙Ｐの縦方向の位置揃えをおこなう後端基準フェンス２４，２５と、用紙Ｐ上面に当接し用紙Ｐを後端基準フェンス２４，２５に突き当てる突き当て搬送部材としての戻しローラ４１とを備えている。また、ステイプルトレイ２１の下流部には、用紙幅方向に移動可能な綴じ手段としてのステイプラ５０を備えている。
【００２１】
用紙整合、綴じを行うステイプルモード時は、制御部が用紙サイズに基づき、ステイプルトレイ２１の用紙積載面の基準位置を決定し、排紙ローラ１２を図示しない駆動手段により、この基準位置に基づく所定量だけ用紙幅方向に移動させる。これにより、排紙ローラ１２は、用紙積載面上の基準位置に用紙のセンターが合致するように用紙を排出してステイプルトレイ２１上に積載する。ステイプルトレイ２１上に排紙された用紙Ｐは、叩きローラ１５により上面を叩かれることによりスイッチバックし、戻しローラ４１により後端基準フェンス２４，２５に突き当てられることで搬送方向が整合される。さらに、ステイプルトレイ２１上に配置されたジョガーフェンス２２，２３により用紙幅方向の整合が行われる。このようにして揃えられた用紙束は、ステイプラ５０がシート幅方向に移動してシート束の下縁部の適所をステイプルすることにより綴じられ、放出ローラ２６，２７が挟持することにより排紙トレイ５上に排紙される。
【００２２】
次に、本実施形態のステイプルトレイ２１上に積載された用紙の突き当て搬送手段について説明する。
図３は、本実施形態に係るステイプルトレイ２１の断面図であり、（ａ）は搬送方向整合処理時、（ｂ）はそれ以外の待機時（以下、ホームポジション時という）を示す。また、図４は、戻しローラ４１とステイプラ５０の構成を示す拡大上面図であり、（ａ）は搬送方向整合処理時、（ｂ）はホームポジション時を示す。
図３に示すように、突き当て搬送手段は、用紙Ｐの上面に当接して回転することで、用紙Ｐを後端基準フェンス２４，２５に突き当てる突き当て搬送部材として２つの戻しローラ４１ａ，ｂと、２つの戻しローラ４１ａ，ｂを支持するホルダ４０とを備えている。このホルダ４０は、（ａ）に示す搬送方向整合処理時と(ｂ)に示すホームポジション時とで、軸４５を回転中心として揺動可能に設けられている。
【００２３】
図４に示すように、２つの戻しローラ４１ａ，ｂは、ホルダ４０の先端近傍の両側部に支持されており、２つの戻しローラ４１ａ，ｂはホルダ４０を中心として左右対称に配置される。ホルダ４０の両側部には、それぞれ軸に嵌合する駆動ギヤ４３ａ，ｂ、アイドラギヤ４２ａ，ｂを有しており、駆動ギヤ４３ａ，ｂ、アイドラギヤ４２ａ，ｂを介して戻りローラ４１ａ，ｂのギヤ部４４ａ，ｂに駆動力が伝達されるよう構成されている。軸４５と駆動ギア４３ａ，ｂとは嵌合部をＤカット等に形成しており、回転方向につれ回りし、且つ、後述するように軸方向はスライド可能に構成されている。図示しない駆動手段により軸４５が回転すると、これらのギヤ部を介して戻しローラ４１ａ，ｂが回転して、用紙Ｐを後端基準フェンス２４，２５に突き当てるように搬送する。
【００２４】
さらに、２つの戻しローラ４１ａ、ｂを支持するホルダ４０が、用紙幅方向に延在する軸４５に沿って移動可能に構成されている。本実施形態では、ホルダ４０は、用紙幅方向に移動可能なステイプラ５０と連結され、ステイプラ５０の駆動手段を用いて用紙幅方向に移動可能に構成されている。詳しくは、ホルダ４０側にそれぞれホルダ引っ掛け部４０ａ，ｂを、ステイプラ５０側にステイプラ引っ掛け部５３をそれぞれ設け、ホルダ引っ掛け部４０ａ，ｂとステイプラ引っ掛け部５３とを係合することで連結した状態とする。ステイプラ５０はベース５１に固定されており、図示しないステイプラ駆動手段により、用紙幅方向に延在するに軸５２に沿って用紙幅方向に移動する。このステイプラ５０の用紙幅方向の移動に追従してホルダ４０が軸４５沿って移動し、これに伴い戻しローラ４１ａ，ｂが用紙幅方向に移動可能となる。なお、ホルダ４０と軸４５との嵌合部には嵌合部材４０ｃが設けられており、互いに独立した動きとなるよう構成されている。すなわち、ステイプラ５０が図示しない駆動手段により用紙幅方向に移動すると、ホルダ４０に配置された戻しローラ４１ａ，ｂ、駆動ギヤ４３ａ，ｂ、アイドラギヤ４２ａ，ｂが軸４５に沿って、一体で移動する構成としている。 そして、ホルダ４０が軸４５に沿って用紙幅方向に移動すると、２つの戻しローラ４１ａ，ｂは、ホルダ４０中心に対して左右対称な状態で用紙幅方向に移動する。
【００２５】
また、ホルダ４０は軸４５を回転中心として揺動し、これに伴い戻しローラ４１ａ，ｂが用紙Ｐの上面と接離する。筺体の用紙幅方向の端部には、ホルダ４０をガイドするガイド部６１，６２が設けられている。ホルダ４０がホームポジション位置（図３，４（ｂ））にある場合は、ホルダ４０がガイド部６１，６２により上側にガイドされることにより、ホルダ４０の先端部に支持される戻しローラ４１ａ，ｂが用紙Ｐの上面から離間した状態となる。一方、整合処理位置（図３，４（ａ））近傍では、ガイド部６１，６２がないため、ホルダ４０は自重により下降し、ホルダ４０の先端部に支持される戻しローラ４１ａ，ｂが用紙Ｐの上面に当接した状態となる。また、ガイド部６１、６２の用紙幅方向中央側端面に、テーパー部６１ａ、６２ａを設けている。このテーパー部６１ａ、６２ａにより、（ａ）に示す整合処理位置から（ｂ）に示すホームポジション位置への移動の際、ホルダ４０をスムーズにガイド部６１、６２上に誘導することが可能となる。
【００２６】
このような構成の後処理装置１００における用紙整合、ステイプル処理動作の一例を、図１に基づき説明する。
（ｓｔｅｐ１）
処理動作開始時は、ステイプラ５０と、ステイプラ５０に連結されたホルダ４０はホームポジション（ＨＰ）位置にある。このとき、ホルダ４０はガイド部６１または６２によりガイドされることにより、戻しローラ４１ａ，ｂは用紙上面から離間した位置にある。
（ｓｔｅｐ２）
後処理装置１００の制御部は、用紙サイズに基づきステイプルトレイ２１上の用紙の幅方向中心位置情報を取得する。用紙の幅方向中心位置情報は、積載される用紙サイズと、シフト機構を有する排紙ローラ１２からステイプルトレイ２１上に排出される基準位置とから算出される。
（ｓｔｅｐ３）
叩きローラ１５を退避位置から用紙当接位置まで下降させて駆動することにより、排紙ローラ１２によりステイプルトレイ２１上に排出された用紙Ｐをスイッチバックする。用紙が戻しローラ４１ａ，ｂ位置まで到達すると、叩きローラ１５を用紙当接位置から退避させる。
（ｓｔｅｐ４）
制御部は取得した用紙の幅方向中心位置情報に基づき、戻しローラ４１ａ、ｂの幅方向中間点、すなわち、ホルダ４０の幅方向中心位置が、用紙の幅方向中心位置と一致するよう、上記機構を用いてホルダ４０を用紙幅方向に移動させる。具体的には、ステイプラ５０を図示しない移動手段により用紙幅方向に移動させることにより、ステイプラ５０に連結されたホルダ４０の幅方向中心位置を取得した用紙の幅方向中心位置に移動させる。２つの戻しローラ４１ａ、ｂは、ホルダ中心に対して用紙幅方向で対称となるように、ホルダ４０に支持されている。このため、用紙サイズによらず、戻しローラ４１ａ，ｂは、ステイプルトレイ２１上に積載された用紙Ｐの幅方向中心に対して対称に配置される。
（ｓｔｅｐ５）
ステイプラ５０と、ホルダ４０とは整合処理位置となる。このとき、ホルダ４０はガイド部６１または６２によりガイドされないため、戻しローラ４１ａ，ｂは用紙上面に当接した状態となる。
（ｓｔｅｐ６）
用紙の幅方向中心に対して左右対称となるよう移動した２つの戻しローラ４１ａ，ｂを回転させて、用紙Ｐを後端基準フェンス２４，２５に突き当てるよう搬送することで、用紙搬送方向の整合を行う。
（ｓｔｅｐ７）
用紙搬送方向の整合が完了したら、戻しローラ４１ａ、ｂを搬送方向整合位置からＨＰに移動させる。この移動も、ステイプラ５０を図示しない移動手段により用紙幅方向に移動させることにより、ステイプラ５０に連結されたホルダ４０を用紙幅方向に移動させることによりおこなう。ホルダ４０はガイド部６１または６２によりガイドされることにより、戻しローラ４１ａ，ｂは用紙上面から離間した位置となる。
（ｓｔｅｐ８）
ジョガーフェンス２２，２３により用紙束の用紙幅方向の整合を行う（ｓｔｅｐ９）。
（ｓｔｅｐ９）
用紙束として形成する最終用紙かどうかを判断する。用紙束の最終用紙でなければ、（ｓｔｅｐ３）に戻り、上記動作を繰り返す。最終用紙であれば、（ｓｔｅｐ１０）に進む。
（ｓｔｅｐ１０）
用紙束の整合が完了するとステイプラ５０を綴じ位置に移動させて、綴じ処理を行う。
（ｓｔｅｐ１１）
綴じ処理が行われた用紙束を放出ローラ２６，２７が挟持することにより排紙トレイ５上に排出する。
なお、本実施例では全ての綴じ位置で戻しローラ４１ａ，ｂをＨＰ位置になるようにしている。 
【００２７】
このような動作により、用紙サイズによらず、用紙幅方向に関して左右対称となる位置で戻しローラ４１ａ，ｂが用紙に当接して用紙を後端基準フェンス２４，２５に突き当てるよう搬送することができる。これにより、突き当て時のスキュー補正効果が、用紙のセンターに対して左右均等に発揮されて、良好な搬送方向整合処理が行われる。
【００２８】
また、本実施形態では、戻しローラ４１ａ，ｂを、用紙の幅方向中心に対して左右対称となる位置に移動させるため、戻しローラ４１ａ，ｂを支持するホルダ４０にホルダ引っ掛け部４０ａ，ｂを設け、用紙幅方向に移動可能に設けられたステイプラ５０に設けたステイプラ引っ掛け部５３と連結する。そして、既設のステイプラ５０の移動手段によりステイプラ５０を移動させることにより、戻しローラ４１ａ，ｂを上記所望の位置に移動させている。すなわち、戻しローラの４１ａ，ｂの用紙幅方向移動駆動手段として、既設のステイプラ移動手段を用いることができる。これにより、簡易で、安価な構成で、戻しローラ４１ａ，ｂを、用紙幅方向の上記所望の位置に移動させることができる。
【００２９】
また、安価な構成とするため、戻しローラ４１ａ，ｂの用紙幅方向移駆動手段をステイプラ５０の駆動手段と共用した場合、用紙を後端基準フェンス２４，２５に当接させて整合した後、次の用紙を整合するまでは戻しローラ４１ａ、ｂが用紙に当接した状態で駆動することになる。このため、戻しローラ４１ａ、ｂと用紙とをスリップさせる時間が長くなり、用紙上に形成された画像を削ってしまったり、用紙を汚してしまったりする問題があった。
【００３０】
本実施形態では、用紙幅方向に、戻しローラ４１ａ、ｂを用紙上面から離間させるようにホルダ４０をガイドするガイド部６１，６２を設けている。そして、整合処理以外は、ホルダ４０をガイド部６１，６２によりガイドされる位置に移動する。これにより、用紙整合時以外は、戻しローラ４１ａ、ｂと用紙とをスリップさせることがなくなり、スリップによる上記画像乱れや用紙汚れの問題を抑制できる。また、ガイド部６１，６２を設けるだけの安価な構成で、上記効果が得られる。
【００３１】
なお、本実施形態では、戻しローラ４１ａ，ｂをホルダ４０が左右対称に支持する構成を用いて説明したが、ホルダ４０が戻しローラ４１ａ，ｂを支持する位置に応じて、戻しローラ４１ａ，ｂの幅方向中点を用紙の幅方向中心位置に一致させるよう、移動を適宜制御する。また、用紙処理装置における整合された用紙束を綴じ処理手段により綴じ処理をおこなう構成を用いて説明したが、ホルダ４０を用紙幅方向に移動可能に設けられた処理手段に連結するものであれば、他の処理手段でも構わない。
【００３２】
以上に説明したものは一例であり、本発明は、次の態様毎に特有の効果を奏する。
（態様Ａ）
用紙を用紙積載面上に複数枚重ねて積載するステイプルトレイ２１などの用紙トレイと、用紙積載面上に用紙を排出し、且つ、排出して積載する用紙の幅方向中心位置を該用紙積載面上で変更可能な排紙ローラ１２などの用紙排出手段と、用紙トレイに積載された用紙の用紙搬送方向後端を突き当てて用紙の用紙搬送方向後端を揃える後端基準フェンス２４，２５などの後端揃え部材と、用紙トレイ上に積載された用紙を後端揃え部材に突き当てるよう搬送する突き当て搬送手段と、用紙搬送方向後端を揃えられた複数の用紙からなる用紙束に処理をおこなうステイプラ５０などの用紙束処理手段とを備えた用紙処理装置である。この突き当て搬送手段として、用紙束の上面に当接可能な複数の戻しローラ４１ａ，ｂなどの搬送部材と、搬送部材を用紙幅方向に移動させる搬送部材移動手段と、搬送部材移動手段を制御する制御部などの搬送部材移動制御手段とを有する。搬送部材移動制御手段は、用紙排出手段により用紙積載面上に積載される用紙の幅方向中心位置の情報を取得し、複数の搬送部材間の幅方向中点を取得された用紙の幅方向中心位置に一致させるよう、搬送部材移動手段による該搬送部材の用紙幅方向移動を制御する。
この構成によれば、上記実施形態について説明したように、複数の搬送部材が、用紙幅方向に関して左右対称となる位置で用紙上面に当接して、用紙を後端揃え部材に突き当てるよう搬送することができる。よって、用紙センターに対して突き当て時のスキュー補正効果が左右均等に発揮されて、良好な整合処理が行われる。このため、用紙サイズによらず良好な整合処理をおこなうことのできるという優れた効果がある。
【００３３】
（態様Ｂ）
（態様Ａ）において、上記用紙束に処理をおこなうステイプラ５０等の用紙束処理手段が移動手段により用紙幅方向に移動可能であり、突き当て搬送手段の複数の搬送部材を支持するホルダ４０などの支持部材を用紙束処理手段に連結する。この構成によれば、上記実施形態について説明したように、用紙束処理手段を用紙幅方向に移動させることにより、支持部材を介して搬送部材を用紙幅方向に移動させることができる。すなわち、搬送部材移動手段を別途設けることなく、既設の用紙束処理手段の移動手段を用いることができるので、簡易で、安価な構成で上記搬送部材の用紙幅方向の移動を可能にすることができる。
【００３４】
（態様Ｃ）
（態様Ｂ）において、上記支持部材を幅方向端部に移動させた際、搬送部材が用紙上面から離間するよう支持部材をガイドするガイド部６１，６２を設ける。この構成によれば、上記実施形態について説明したように、整合処理以外は、搬送部材を用紙上面から離間して、搬送部材と用紙とをスリップさせないようにすることができる。このため、スリップによる画像乱れや用紙汚れの問題を抑制できる。また、ガイド部を設けるだけの安価な構成で、上記効果が得られる。
【００３５】
（態様Ｄ）
画像形成部と、画像形成部によって画像形成された用紙に対して所定の処理を施す用紙処理手段とを備えた画像形成装置において、上記用紙処理装置として（態様Ａ）、（態様Ｂ）または（態様Ｃ）の何れかの用紙処理装置を用いる。この構成によれば、上記実施形態について説明したように、用紙サイズによらず、画像形成された用紙を良好に整合した用紙束に処理をおこなうことができる。
【符号の説明】
【００３６】
１ 導入経路
２ 搬送経路
５ 排紙トレイ
６ 延長トレイ
８ 排紙センサ
１０ 入口ローラ
１２ 排紙ローラ
１３ 入口センサ
１５ ローラ
２１ ステイプルトレイ
２２，２３ ジョガーフェンス
２４，２５ 後端基準フェンス
２６ 放出ローラ
２７ 従動ローラ
４０ ホルダ
４０ａ，ｂ ホルダ引っ掛け部
４０ｃ 嵌合部材
４１ａ，ｂ    戻しローラ
４２ａ，ｂ アイドラギヤ
４３ａ，ｂ 駆動ギヤ
４４ａ，ｂ ギヤ部
４５    軸
５０    ステイプラ
５１   ベース
５２   軸
５３  ステイプラ引っ掛け部
６１，６２ ガイド部
６１ａ，６２ａ  テーパー部
１００ 後処理装置
【先行技術文献】
【特許文献】
【００３７】
【特許文献１】特開２００８−０２４５０６号公報
【図１】
0005963043.tif 000002
【図２】
0005963043.tif 000003
【図３】
0005963043.tif 000004
【図４】
0005963043.tif 000005